【事件の表示】
　特許第３４１８３８７号「画像印刷装置および方法、並びにプログラム」の請求項１ないし１２に係る特許に対する特許異議の申立てについて、次のとおり決定する。
【結　論】
　訂正を認める。
　特許第３４１８３８７号の請求項１ないし１２に係る特許を維持する。
【理　由】
１．手続の経緯
　特許第３４１８３８７号の請求項１ないし１２に係る発明についての出願は、特願２００１−５２５０４号（平成１３年２月２７日出願）の分割出願であり、平成１５年４月１１日にその特許権の設定登録がなされ、その後、吉川修、上田貞雄、渡邊雅範より特許異議の申立てがなされ、取消しの理由が通知され、その指定期間内である平成１６年６月２２日に訂正請求がなされたものである。
　
２．訂正の適否についての判断
（１）訂正の内容
ア．訂正事項ａ
　特許請求の範囲の請求項１の記載について、
「【請求項１】　ユーザに、撮影、および撮影した画像の編集を行わせ、編集済みの前記画像が印刷されたシールシートを筐体の所定の面に形成されたシール取り出し口から排出し、前記ユーザに提供する画像印刷装置において、
　前記画像印刷装置の前記筐体の第１の面、前記第１の面と対向する位置に設置されたパネル、並びに前記第１の面と前記パネルの間に配置されたカーテンにより、外から見えないように形成された１個の撮影空間において、被写体を撮影する、前記筐体の前記第１の面に配置された撮影手段と、
　前記撮影手段により撮影された前記被写体の画像を表示する、前記第１の面の前記撮影手段より下方に設けられた第１の表示手段と、
　前記撮影空間とは異なる空間として、前記筐体の前記第１の面の側面もしくは背面である第２の面の前方に、カーテンまたはパネルにより画像が外から見えないように形成された１個の編集空間において、編集対象の画像として前記被写体の画像を他のユーザから見えないように表示し、編集入力を受け付ける、前記筐体の前記第２の面に設けられた第２の表示手段と、
　前記撮影手段により撮影された前記画像の枚数が予め設定された所定の枚数に達した場合、または、撮影終了の操作がされた場合、前記編集空間への移動を案内する案内画面を第１の表示手段に表示させ、前記撮影手段により撮影された前記画像を前記第２の表示手段に転送し、編集対象画像として前記第２の表示手段に表示させ、前記ユーザからの前記編集入力を受け付けさせるとともに、前記第２の表示手段により、前記ユーザから、前記編集入力を受け付けている間に、他のユーザが前記撮影手段による撮影を開始した場合、前記撮影手段による前記被写体の撮影、並びに前記第２の表示手段による前記被写体の画像の表示および前記編集入力の受け付けを、並行して実行させる制御手段とを備えることを特徴とする画像印刷装置。」とあるのを、
「【請求項１】　ユーザに、撮影、および撮影した画像の編集を行わせ、編集済みの前記画像が印刷されたシールシートを
１つの
　前記画像印刷装置の前記筐体の第１の面、前記第１の面と対向する位置に設置されたパネル、並びに前記第１の面と前記パネルの間に配置されたカーテンにより、外から見えないように形成された１個の撮影空間において、被写体を撮影する、前記筐体の前記第１の面に配置された撮影手段と、
　前記撮影手段により撮影された前記被写体の画像を表示する、前記第１の面の前記撮影手段より下方に設けられた第１の表示手段と、
　前記撮影空間とは異なる空間として、前記筐体の前記第１の面の側面もしくは背面である第２の面の前方に、カーテンまたはパネルにより画像が外から見えないように形成された１個の編集空間において、編集対象の画像として前記被写体の画像を他のユーザから見えないように表示し、編集入力を受け付ける、前記筐体の前記第２の面に設けられた第２の表示手段と、
　
前記第２の表示手段により受け付けられた前記編集入力に基づいて、前記被写体の画像を編集し、前記ユーザにより、前記編集入力として書き込み消去の指示が入力された場合、前記編集対象画像を用いて、入力された前記書き込みの一部または全部を消去する編集手段と、
　前記撮影手段により撮影された前記画像の枚数が予め設定された所定の枚数に達した場合、または、撮影終了の操作がされた場合、前記編集空間への移動を案内する案内画面を第１の表示手段に表示させ、前記撮影手段により撮影された
複数の
前記ユーザが編集対象とする画像を選択できるように、複数の前記画像を前記第２の表示手段に表示させ、さらに、その中から前記ユーザが選択した画像を
　を備えることを特徴とする画像印刷装置。」と訂正する。
イ．訂正事項ｂ
　特許請求の範囲の請求項２の記載について、
「【請求項２】　前記第２の表示手段により受け付けられた前記編集入力に基づいて、前記被写体の画像を編集する編集手段と、　
　前記編集手段により編集された前記被写体の画像を所定の前記シールシートに印刷する印刷手段と、
　前記印刷手段により前記被写体の画像が印刷された前記シールシートを排出する排出手段とをさらに備えることを特徴とする請求項１に記載の画像印刷装置。」とあるのを、
「【請求項２】　
前記
　前記印刷手段により前記被写体の画像が印刷された前記シールシートを排出する排出手段と
　をさらに備えることを特徴とする請求項１に記載の画像印刷装置。」と訂正する。
ウ．訂正事項ｃ
　特許請求の範囲の請求項１１の記載について、
「【請求項１１】　画像印刷装置の筐体の第１の面、前記第１の面と対向する位置に設置されたパネル、並びに前記第１の面と前記パネルの間に配置されたカーテンにより、外から見えないように形成された１個の撮影空間において、被写体を撮影する、前記筐体の前記第１の面に配置された撮影手段と、
　前記撮影手段により撮影された前記被写体の画像を表示する、前記第１の面の前記撮影手段により下方に設けられた第１の表示手段と、
　前記撮影空間とは異なる空間として、前記筐体の前記第１の面の側面もしくは背面である第２の面の前方に、カーテンまたはパネルにより画像が外から見えないように形成された１個の編集空間において、編集対象の画像として前記被写体の画像を他のユーザから見えないように表示し、編集入力を受け付ける、前記筐体の前記第２の面に設けられた第２の表示手段とを備え、
　ユーザに、撮影、および撮影した画像の編集を行わせ、編集済みの前記画像が印刷されたシールシートを前記筐体の所定の面に形成されたシール取り出し口から排出し、前記ユーザに提供する画像印刷装置の画像印刷方法において、
　前記撮影手段により前記被写体を撮影する撮影ステップと、
　前記撮影ステップの処理により撮影された前記被写体の画像を前記第１の表示手段に表示する第１の表示ステップと、
　編集対象の画像として前記被写体の画像を前記第２の表示手段に表示し、編集入力を受け付ける第２の表示ステップと、
　前記撮影ステップの処理により撮影された前記画像の枚数が予め設定された所定の枚数に達した場合、または、撮影終了の操作がされた場合、前記編集空間への移動を案内する案内画面を前記第１の表示手段に表示させ、前記撮影ステップの処理により撮影された前記画像を前記第２の表示手段に転送し、編集対象画像として前記第２の表示手段に表示させ、前記ユーザからの前記編集入力を受け付けさせるとともに、前記第２の表示ステップの処理により、前記ユーザから、前記編集入力を受け付けている間に、他のユーザが前記撮影手段による撮影を開始した場合、前記撮影ステップの処理による前記被写体の撮影、並びに前記第２の表示ステップの処理による前記被写体の画像の表示および前記編集入力の受け付けを、並行して実行させる制御ステップとを含むことを特徴とする画像印刷方法。」とあるのを、
「【請求項１１】　画像印刷装置の
１つの
　前記撮影手段により撮影された前記被写体の画像を表示する、前記第１の面の前記撮影手段により下方に設けられた第１の表示手段と、
　前記撮影空間とは異なる空間として、前記筐体の前記第１の面の側面もしくは背面である第２の面の前方に、カーテンまたはパネルにより画像が外から見えないように形成された１個の編集空間において、編集対象の画像として前記被写体の画像を他のユーザから見えないように表示し、編集入力を受け付ける、前記筐体の前記第２の面に設けられた第２の表示手段と
　を備え、
　ユーザに、撮影、および撮影した画像の編集を行わせ、編集済みの前記画像が印刷されたシールシートを前記筐体の所定の面に形成されたシール取り出し口から排出し、前記ユーザに提供する画像印刷装置の画像印刷方法において、
　前記撮影手段により前記被写体を撮影する撮影ステップと、
　前記撮影ステップの処理により撮影された前記被写体の画像を前記第１の表示手段に表示する第１の表示ステップと、
　編集対象の画像として前記被写体の画像を前記第２の表示手段に表示し、編集入力を受け付ける第２の表示ステップと、
　
前記第２の表示ステップの処理により受け付けられた前記編集入力に基づいて、前記被写体の画像を編集し、前記ユーザにより、前記編集入力として書き込み消去の指示が入力された場合、前記編集対象画像を用いて、入力された前記書き込みの一部または全部を消去する編集ステップと、
　前記撮影ステップの処理により撮影された前記画像の枚数が予め設定された所定の枚数に達した場合、または、撮影終了の操作がされた場合、前記編集空間への移動を案内する案内画面を前記第１の表示手段に表示させ、前記撮影ステップの処理により撮影された
複数の
前記ユーザが編集対象とする画像を選択できるように、複数の前記画像を前記第２の表示手段に表示させ、さらに、その中から前記ユーザが選択した画像を
　を含むことを特徴とする画像印刷方法。」と訂正する。
エ．訂正事項ｄ
　特許請求の範囲の請求項１２の記載について、
「【請求項１２】　画像印刷装置の筐体の第１の面、前記第１の面と対向する位置に設置されたパネル、並びに前記第１の面と前記パネルの間に配置されたカーテンにより、外から見えないように形成された１個の撮影空間において、被写体を撮影する、前記筐体の前記第１の面に配置された撮影手段と、
　前記撮影手段により撮影された前記被写体の画像を表示する、前記第１の面の前記撮影手段により下方に設けられた第１の表示手段と、
　前記撮影空間とは異なる空間として、前記筐体の前記第１の面の側面もしくは背面である第２の面の前方に、カーテンまたはパネルにより画像が外から見えないように形成された１個の編集空間において、編集対象の画像として前記被写体の画像を他のユーザから見えないように表示し、編集入力を受け付ける、前記筐体の前記第２の面に設けられた第２の表示手段とを備え、
　ユーザに、撮影、および撮影した画像の編集を行わせ、編集済みの前記画像が印刷されたシールシートを前記筐体の所定の面に形成されたシール取り出し口から排出し、前記ユーザに提供する画像印刷装置を制御するコンピュータのプログラムであって、
　前記コンピュータに、前記撮影手段による前記被写体の撮影を制御する撮影制御ステップと、
　前記撮影制御ステップの処理により撮影が制御された前記被写体の画像の前記第１の表示手段への表示を制御する第１の表示制御ステップと、
　編集対象の画像として前記被写体の画像を前記第２の表示手段に表示し、編集入力を受け付けるように制御する第２の表示制御ステップと、
　前記撮影制御ステップの処理により撮影が制御された前記画像の枚数が予め設定された所定の枚数に達した場合、または、撮影終了の操作がされた場合、前記編集空間への移動を案内する案内画面を前記第１の表示手段に表示させ、前記撮影制御ステップの処理により撮影が制御された前記画像を前記第２の表示手段に転送し、編集対象画像として前記第２の表示手段に表示させ、前記ユーザからの前記編集入力を受け付けさせるとともに、前記第２の表示制御ステップの処理により、前記ユーザからの前記編集入力の受け付けが制御されている間に、他のユーザが前記撮影手段による撮影を開始した場合、前記撮影制御ステップの処理による前記被写体の撮影の制御、並びに前記第２の表示制御ステップの処理による前記被写体の画像の表示および前記編集入力の受け付けの制御を、並行して実行させる制御ステップとを実行させるプログラム。」とあるのを、
「【請求項１２】　画像印刷装置の
１つの
　前記撮影手段により撮影された前記被写体の画像を表示する、前記第１の面の前記撮影手段により下方に設けられた第１の表示手段と、
　前記撮影空間とは異なる空間として、前記筐体の前記第１の面の側面もしくは背面である第２の面の前方に、カーテンまたはパネルにより画像が外から見えないように形成された１個の編集空間において、編集対象の画像として前記被写体の画像を他のユーザから見えないように表示し、編集入力を受け付ける、前記筐体の前記第２の面に設けられた第２の表示手段と
　を備え、
　ユーザに、撮影、および撮影した画像の編集を行わせ、編集済みの前記画像が印刷されたシールシートを前記筐体の所定の面に形成されたシール取り出し口から排出し、前記ユーザに提供する画像印刷装置を制御するコンピュータのプログラムであって、
　前記コンピュータに、前記撮影手段による前記被写体の撮影を制御する撮影制御ステップと、
　前記撮影制御ステップの処理により撮影が制御された前記被写体の画像の前記第１の表示手段への表示を制御する第１の表示制御ステップと、
　編集対象の画像として前記被写体の画像を前記第２の表示手段に表示し、編集入力を受け付けるように制御する第２の表示制御ステップと、
　
前記第２の表示制御ステップの処理により制御されて受け付けられた前記編集入力に基づいて、前記被写体の画像を編集し、前記ユーザにより、前記編集入力として書き込み消去の指示が入力された場合、前記編集対象画像を用いて、入力された前記書き込みの一部または全部を消去する編集ステップと、
　前記撮影制御ステップの処理により撮影が制御された前記画像の枚数が予め設定された所定の枚数に達した場合、または、撮影終了の操作がされた場合、前記編集空間への移動を案内する案内画面を前記第１の表示手段に表示させ、前記撮影制御ステップの処理により撮影が制御された
複数の
前記ユーザが編集対象とする画像を選択できるように、複数の前記画像を前記第２の表示手段に表示させ、さらに、その中から前記ユーザが選択した画像を
　を実行させるプログラム。」と訂正する。
オ．訂正事項ｅ
　明細書段落【０００８】ないし【００１０】、【００１４】ないし【００１５】、【００３９】ないし【００４０】、【００４３】、【００４５】の記載を訂正する。
　
（２）訂正の目的の適否、新規事項の有無及び拡張・変更の存否
　上記訂正事項ａないしｄは、特許請求の範囲の減縮を目的とした明細書の訂正に該当し、また、上記訂正事項ｅは、上記訂正事項ａないしｄと整合を図るものであるから、明りょうでない記載の釈明を目的とした明細書の訂正に該当し、いずれも、新規事項の追加に該当せず、実質的に特許請求の範囲を拡張又は変更するものではない。
　
（３）むすび
　したがって、上記訂正は、特許法第１２０条の４第２項及び同条第３項で準用する第１２６条第２項から第４項までの規定に適合するので、当該訂正を認める。
　
３．特許異議申立てについての判断
（１）申立ての理由の概要
　申立人吉川修は、請求項１ないし１２（全請求項）に係る発明は、甲第１号証（後述）に記載された発明と実質的に同一であり、特許法第２９条の２の規定により、特許を受けることができないものであるから、特許を取り消されるべきと主張している。
　申立人上田貞雄は、請求項１ないし１２（全請求項）に係る発明は、甲第１号証（後述）の請求項１ないし３に係る発明と（実質）同一であり特許法第３９条第１項の規定により特許をうけることができないものであり、甲第２号証の１（後述）に記載された発明と（実質）同一であり、特許法第２９条の２の規定により特許を受けることができないものであり、特許を取り消されるべきと主張している。
　申立人渡邊雅範は、平成１４年１１月１８日の手続補正書による特許請求の範囲の補正を新規事項を追加する補正であり、特許法第１７条の２第３項に規定する要件を満たすものでなく、従って、本件特許は、特許法第１１３条第１項第１号の規定により取り消されるべきであり、請求項１ないし１２（全請求項）に係る発明は、甲第１号証ないし甲第１５号証（後述）をもとに容易に発明をすることができたものであり、特許法第２９条第２項の規定により、特許を受けることができないものであるから、特許を取り消されるべきであり、本件請求項１ないし３，１１，１２に係る特許発明は甲第１６号証（後述）と実質的に同一であり、特許法第３９条の規定に違反し、特許を取り消されるべきであり、本件請求項１ないし３，６ないしに係る発明は甲第１７号証（後述）と実質的に同一であり、特許法第２９条の２の規定に違反し、特許を取り消されるべきと主張している。
　
（２）本件の請求項１ないし１２に係る発明
　上記２．で示したように上記訂正が認められるから、本件の請求項１ないし１２に係る発明（以下、「本件訂正発明１」ないし「本件訂正発明１２」ともいう）は、上記訂正請求に係る訂正明細書の特許請求の範囲の請求項１ないし１２に記載された事項により特定される以下のとおりのものである。
「【請求項１】　ユーザに、撮影、および撮影した画像の編集を行わせ、編集済みの前記画像が印刷されたシールシートを
１つの
　前記画像印刷装置の前記筐体の第１の面、前記第１の面と対向する位置に設置されたパネル、並びに前記第１の面と前記パネルの間に配置されたカーテンにより、外から見えないように形成された１個の撮影空間において、被写体を撮影する、前記筐体の前記第１の面に配置された撮影手段と、
　前記撮影手段により撮影された前記被写体の画像を表示する、前記第１の面の前記撮影手段より下方に設けられた第１の表示手段と、
　前記撮影空間とは異なる空間として、前記筐体の前記第１の面の側面もしくは背面である第２の面の前方に、カーテンまたはパネルにより画像が外から見えないように形成された１個の編集空間において、編集対象の画像として前記被写体の画像を他のユーザから見えないように表示し、編集入力を受け付ける、前記筐体の前記第２の面に設けられた第２の表示手段と、
　
前記第２の表示手段により受け付けられた前記編集入力に基づいて、前記被写体の画像を編集し、前記ユーザにより、前記編集入力として書き込み消去の指示が入力された場合、前記編集対象画像を用いて、入力された前記書き込みの一部または全部を消去する編集手段と、
　前記撮影手段により撮影された前記画像の枚数が予め設定された所定の枚数に達した場合、または、撮影終了の操作がされた場合、前記編集空間への移動を案内する案内画面を第１の表示手段に表示させ、前記撮影手段により撮影された
複数の
前記ユーザが編集対象とする画像を選択できるように、複数の前記画像を前記第２の表示手段に表示させ、さらに、その中から前記ユーザが選択した画像を
　を備えることを特徴とする画像印刷装置。
【請求項２】　
前記
　前記印刷手段により前記被写体の画像が印刷された前記シールシートを排出する排出手段と
　をさらに備えることを特徴とする請求項１に記載の画像印刷装置。
【請求項３】　前記排出手段は、前記筐体の、前記第１の面および前記第２の面の何れとも異なる第３の面に配置される
　ことを特徴とする請求項２に記載の画像印刷装置。
【請求項４】　前記撮影空間において撮影が終了されたとき、前記編集空間において編集が行われているか否かを判定する判定手段と、
　前記判定手段により前記編集空間において編集が行われていると判定されたとき、前記編集空間において行われている編集が終了するまでの期間、前記撮影空間において撮影を終了させたユーザに対して、所定の処理を実行させる実行手段と
　をさらに備えることを特徴とする請求項１乃至３のいずれかに記載の画像印刷装置。
【請求項５】　前記所定の処理は、所定のゲームである
　ことを特徴とする請求項４に記載の画像印刷装置。
【請求項６】　前記撮影空間における撮影を案内する音声を出力する第１の出力手段と、
　前記編集空間における編集を案内する音声を出力する第２の出力手段と
　をさらに備えることを特徴とする請求項１乃至５のいずれかに記載の画像印刷装置。
【請求項７】　前記撮影空間に、前記ユーザがポーズを取って撮影するための撮影台をさらに備える
　ことを特徴とする請求項１乃至６のいずれかに記載の画像印刷装置。
【請求項８】　前記撮影台の近傍に、撮影の操作を行うための撮影台用操作パネルをさらに備える
　ことを特徴とする請求項７に記載の画像印刷装置。
【請求項９】　撮影する前記静止画像を縦長の画像とするか、横長の画像とするかの選択を受け付ける方向選択受付手段をさらに備える
　ことを特徴とする請求項１乃至８のいずれかに記載の画像印刷装置。
【請求項１０】　前記静止画像の明るさの調整を受け付ける調整受付手段をさらに備える
　ことを特徴とする請求項１乃至９のいずれかに記載の画像印刷装置。
【請求項１１】　画像印刷装置の
１つの
　前記撮影手段により撮影された前記被写体の画像を表示する、前記第１の面の前記撮影手段により下方に設けられた第１の表示手段と、
　前記撮影空間とは異なる空間として、前記筐体の前記第１の面の側面もしくは背面である第２の面の前方に、カーテンまたはパネルにより画像が外から見えないように形成された１個の編集空間において、編集対象の画像として前記被写体の画像を他のユーザから見えないように表示し、編集入力を受け付ける、前記筐体の前記第２の面に設けられた第２の表示手段と
　を備え、
　ユーザに、撮影、および撮影した画像の編集を行わせ、編集済みの前記画像が印刷されたシールシートを前記筐体の所定の面に形成されたシール取り出し口から排出し、前記ユーザに提供する画像印刷装置の画像印刷方法において、
　前記撮影手段により前記被写体を撮影する撮影ステップと、
　前記撮影ステップの処理により撮影された前記被写体の画像を前記第１の表示手段に表示する第１の表示ステップと、
　編集対象の画像として前記被写体の画像を前記第２の表示手段に表示し、編集入力を受け付ける第２の表示ステップと、
　
前記第２の表示ステップの処理により受け付けられた前記編集入力に基づいて、前記被写体の画像を編集し、前記ユーザにより、前記編集入力として書き込み消去の指示が入力された場合、前記編集対象画像を用いて、入力された前記書き込みの一部または全部を消去する編集ステップと、
　前記撮影ステップの処理により撮影された前記画像の枚数が予め設定された所定の枚数に達した場合、または、撮影終了の操作がされた場合、前記編集空間への移動を案内する案内画面を前記第１の表示手段に表示させ、前記撮影ステップの処理により撮影された
複数の
前記ユーザが編集対象とする画像を選択できるように、複数の前記画像を前記第２の表示手段に表示させ、さらに、その中から前記ユーザが選択した画像を
　を含むことを特徴とする画像印刷方法。
【請求項１２】　画像印刷装置の
１つの
　前記撮影手段により撮影された前記被写体の画像を表示する、前記第１の面の前記撮影手段により下方に設けられた第１の表示手段と、
　前記撮影空間とは異なる空間として、前記筐体の前記第１の面の側面もしくは背面である第２の面の前方に、カーテンまたはパネルにより画像が外から見えないように形成された１個の編集空間において、編集対象の画像として前記被写体の画像を他のユーザから見えないように表示し、編集入力を受け付ける、前記筐体の前記第２の面に設けられた第２の表示手段と
　を備え、
　ユーザに、撮影、および撮影した画像の編集空間を行わせ、編集済みの前記画像が印刷されたシールシートを前記筐体の所定の面に形成されたシール取り出し口から排出し、前記ユーザに提供する画像印刷装置を制御するコンピュータのプログラムであって、
　前記コンピュータに、前記撮影手段による前記被写体の撮影を制御する撮影制御ステップと、
　前記撮影制御ステップの処理により撮影が制御された前記被写体の画像の前記第１の表示手段への表示を制御する第１の表示制御ステップと、
　編集対象の画像として前記被写体の画像を前記第２の表示手段に表示し、編集入力を受け付けるように制御する第２の表示制御ステップと、
　
前記第２の表示制御ステップの処理により制御されて受け付けられた前記編集入力に基づいて、前記被写体の画像を編集し、前記ユーザにより、前記編集入力として書き込み消去の指示が入力された場合、前記編集対象画像を用いて、入力された前記書き込みの一部または全部を消去する編集ステップと、
　前記撮影制御ステップの処理により撮影が制御された前記画像の枚数が予め設定された所定の枚数に達した場合、または、撮影終了の操作がされた場合、前記編集空間への移動を案内する案内画面を前記第１の表示手段に表示させ、前記撮影制御ステップの処理により撮影が制御された
複数の
前記ユーザが編集対象とする画像を選択できるように、複数の前記画像を前記第２の表示手段に表示させ、さらに、その中から前記ユーザが選択した画像を
　を実行させるプログラム。」
　
（３）取消理由
　取消理由の概要は以下のとおりである。なお、理由＜２＞ないし＜４＞は、特許異議申立人吉川修、上田貞雄、渡邊雅範が提示した刊行物等を含むものである。
＜１＞１７条の２
　請求項１，１１，１２に記載の「１個の撮影空間」、「１個の編集空間」、「前記第１の面の前記撮影手段により下方に設けられた第１の表示手段」についての記載は、当初明細書及び図面になく、新規事項を追加する補正である。
　
＜２＞３９条
　請求項１ないし１２に係る発明は、先願２−１と（実質的に）同一である。
２−１．特願２００２−７７８１０号（特許第３４６９８９１号）（異議申立人上田貞雄の提出した甲第１号証）
　請求項１ないし３，１１，１２に係る発明は、先願２−２と（実質的に）同一である。
２−２．実願２００２−５３９４号（実用新案登録第３０９２３５４号）（異議申立人渡邊雅範の提出した甲第１６号証）
　なお、周知例として、
２−３−１．特開２０００−２８４３５６号公報（異議申立人上田貞雄の提出した甲第３号証）
２−３−２．特開平１１−５２４７９号公報（同人の提出した甲第４号証）
２−３−３．特開平１１−１８０２９号公報（同人の提出した甲第５号証）
２−３−４．登録実用新案第３０３２４９２号公報（同人の提出した甲第６号証）
２−３−５．特開平１０−２１６３５５号公報（同人の提出した甲第７号証）
２−３−６．特開平１１−２５３６５９号公報（同人の提出した甲第８号証）
２−３−７．特開２０００−２５００９９号公報（同人の提出した甲第９号証）
２−３−８．特開平１０−２５７５１８号公報（同人の提出した甲第１０号証）
２−３−９．特開平１１−２６６４１９号公報（同人の提出した甲第１１号証）
２−３−１０．特開平９−１４９３６８号公報（同人の提出した甲第１２号証）
２−３−１１．特開平１０−２５４０４９号公報（同人の提出した甲第１３号証）
２−３−１２．特開平１１−２１５４５４号公報（同人の提出した甲第１４号証）
２−３−１３．特開平６−２３５９６８号公報（同人の提出した甲第１５号証）
２−３−１４．特許第２８６３４０４号公報（同人の提出した甲第１６号証）
２−３−１５．特開２０００−２２４４１０号公報（同人の提出した甲第１７号証）
２−３−１６．特開平１１−６４９６７号公報（同人の提出した甲第１８号証）
２−３−１７．特開２０００−１３７２８４号公報（同人の提出した甲第１９号証）
　
＜３＞２９条の２
　請求項１ないし１２に係る発明は、先願３−１と（実質的に）同一である。
３−１．特願２００１−１１１１６号（特開２００２−２８７２３８号）（異議申立人上田貞雄の提出した甲第２号証の１及び甲第２号証の２、異議申立人吉川修の提出した甲第１，２号証）
　請求項１ないし３，６ないし１２に係る発明は、先願３−２と（実質的に）同一である。
３−２．特願２００１−２６７４０７号（特開２００２−２１６２４０号）（異議申立人渡邊雅範の提出した甲第１７号証）
　なお、周知例として、
３−３−１．特開平１１−５２４７９号公報（異議申立人吉川修の提出した甲第３号証）
３−３−２．特開２０００−２５００９９号公報（同人の提出した甲第４号証）
３−３−３．特開平１１−２１５４５４号公報（同人の提出した甲第５号証）
３−３−４．特開平１１−６４９６７号公報（同人の提出した甲第６号証）
　
＜４＞２９条第２項
　請求項１ないし１２に係る発明は、刊行物１ないし１５記載の発明に基づいて当業者が容易に発明することができたものである。
刊行物１：特開平１１−８４５２２号公報（異議申立人渡邊雅範の提出した甲第１号証の１）
刊行物１−２：国際公開９０／１０２５１号のパンフレット（同人の提出した甲第１号証の２，３）
刊行物２：特開平１１−２３４６０２号公報（同人の提出した甲第２号証）
刊行物３：特開平７−２０３２７２号公報（同人の提出した甲第３号証）
刊行物４：特開２０００−２２９１８１号公報（同人の提出した甲第４号証）
刊行物５：特許第３０５３８５７号公報（同人の提出した甲第５号証）
刊行物６：特開平１１−１１０６３６号公報（同人の提出した甲第６号証）
刊行物７：特開２０００−２０６５９４号公報（同人の提出した甲第７号証）
刊行物８：特開平７−１０７４２４号公報（同人の提出した甲第８号証）
刊行物９：実用新案登録第３０５６３５８号公報（同人の提出した甲第９号証）
刊行物１０：特開平１１−５２４７９号公報（同人の提出した甲第１０号証）
刊行物１１：特開２０００−３２２４９号公報（同人の提出した甲第１１号証）
刊行物１２：米国特許明細書第５，７８４，６５１号（同人の提出した甲第１２号証）
刊行物１３：特開平１０−２５７５１８号公報（同人の提出した甲第１３号証）
刊行物１４：特開平１１−２１５４５４号公報（同人の提出した甲第１４号証）
刊行物１５：特開平１１−６４９６７号公報（同人の提出した甲第１５号証）
　
（４）対比・判断
＜１＞特許法第１７条の２第３項
　当初明細書の段落【００６０】【００６６】並びに図１，２，４，２３を参酌すれば、「１個の撮影空間」「１個の編集空間」及び「前記第１の面の前記撮影手段により下方に設けられた第２の表示手段」について当初明細書及び図面に記載があることは明らかであり、平成１４年１１月１８日付けの補正は、新規事項を追加する補正とはいえず、特許法第１７条の２第３項に規定する要件を満たしているものといえる。
　よって、申立人の主張を採用できない。
　
＜２＞特許法第３９条
（ア）本件訂正発明１について
　先願２−１，２−２は以下の点（アンダーライン部）を具備していない。また、周知例２−３−１ないし２−３−１７にも開示がなく周知といえない。
「
１つの
前記筐体の前記第１の面の側面もしくは背面である第２の面の前方に
形成された１個の編集空間
「前記第２の表示手段により受け付けられた前記編集入力に基づいて、前記被写体の画像を編集し、
前記ユーザにより、前記編集入力として書き込み消去の指示が入力された場合、前記編集対象画像を用いて、入力された前記書き込みの一部または全部を消去する
「前記撮影手段により撮影された前記画像の枚数が予め設定された所定の枚数に達した場合、または、撮影終了の操作がされた場合、前記編集空間への移動を案内する案内画面を第１の表示手段に表示させ、前記撮影手段により撮影された
複数の
前記ユーザが編集対象とする画像を選択できるように、複数の前記画像を前記第２の表示手段に表示させ、さらに、その中から前記ユーザが選択した画像を編集対象画像として前記第２の表示手段に表示させ
前記ユーザからの前記編集入力を受け付けさせるとともに、前記第２の表示手段により、前記ユーザから、前記編集入力を受け付けている間に、他のユーザが前記撮影手段による撮影を開始した場合、前記撮影手段による前記被写体の撮影、並びに前記第２の表示手段による前記被写体の画像の表示および前記編集入力の受け付けを、並行して実行させる
　よって、本件訂正発明１が先願２−１，２−２と（実質的に）同一とはいえない。
（イ）本件訂正発明２ないし１０について
　本件訂正発明２ないし１０は、本件訂正発明１にさらに限定事項を付加したものであるから、同様の理由により、先願２−１，２−２と（実質的に）同一とはいえない。
（ハ）本件訂正発明１１について
　先願２−１，２−２は以下の点（アンダーライン部）を具備していない。また、周知例２−３−１ないし２−３−１７にも開示がなく周知といえない。
「
１つの
前記筐体の前記第１の面の側面もしくは背面である第２の面の前方に
形成された１個の編集空間
「前記第２の表示ステップの処理により受け付けられた前記編集入力に基づいて、前記被写体の画像を編集し、
前記ユーザにより、前記編集入力として書き込み消去の指示が入力された場合、前記編集対象画像を用いて、入力された前記書き込みの一部または全部を消去する
「前記撮影ステップの処理により撮影された前記画像の枚数が予め設定された所定の枚数に達した場合、または、撮影終了の操作がされた場合、前記編集空間への移動を案内する案内画面を前記第１の表示手段に表示させ、前記撮影ステップの処理により撮影された
複数の
前記ユーザが編集対象とする画像を選択できるように、複数の前記画像を前記第２の表示手段に表示させ、さらに、その中から前記ユーザが選択した画像を編集対象画像として前記第２の表示手段に表示させ
前記ユーザからの前記編集入力を受け付けさせるとともに、前記第２の表示ステップの処理により、前記ユーザから、前記編集入力を受け付けている間に、他のユーザが前記撮影手段による撮影を開始した場合、前記撮影ステップの処理による前記被写体の撮影、並びに前記第２の表示ステップの処理による前記被写体の画像の表示および前記編集入力の受け付けを、並行して実行させる
　よって、本件訂正発明１１が先願２−１，２−２と（実質的に）同一とはいえない。
（ハ）本件訂正発明１２について
　先願２−１，２−２は以下の点（アンダーライン部）を具備していない。また、周知例２−３−１ないし２−３−１７にも開示がなく周知といえない。
「
１つの
前記筐体の前記第１の面の側面もしくは背面である第２の面の前方に
形成された１個の編集空間
「前記第２の表示制御ステップの処理により制御されて受け付けられた前記編集入力に基づいて、前記被写体の画像を編集し、
前記ユーザにより、前記編集入力として書き込み消去の指示が入力された場合、前記編集対象画像を用いて、入力された前記書き込みの一部または全部を消去する
「前記撮影制御ステップの処理により撮影が制御された前記画像の枚数が予め設定された所定の枚数に達した場合、または、撮影終了の操作がされた場合、前記編集空間への移動を案内する案内画面を前記第１の表示手段に表示させ、前記撮影制御ステップの処理により撮影が制御された
複数の
前記ユーザが編集対象とする画像を選択できるように、複数の前記画像を前記第２の表示手段に表示させ、さらに、その中から前記ユーザが選択した画像を編集対象画像として前記第２の表示手段に表示させ
前記ユーザからの前記編集入力を受け付けさせるとともに、前記第２の表示制御ステップの処理により、前記ユーザからの前記編集入力の受け付けが制御されている間に、他のユーザが前記撮影手段による撮影を開始した場合、前記撮影制御ステップの処理による前記被写体の撮影の制御、並びに前記第２の表示制御ステップの処理による前記被写体の画像の表示および前記編集入力の受け付けの制御を、並行して実行させる
　よって、本件訂正発明１２が先願２−１，２−２と（実質的に）同一とはいえない。
　
＜３＞特許法第２９条の２
（ア）本件訂正発明１について
　先願３−１，３−２は上記事項ＡないしＣを具備していない。また、周知例３−３−１ないし３−３−４にも開示がなく周知といえない。
　よって、本件訂正発明１が先願３−１，３−２と（実質的に）同一とはいえない。
（イ）本件訂正発明２ないし１０について
　本件訂正発明２ないし１０は、本件発明１にさらに限定事項を付加したものであるから、同様の理由により、先願３−１，３−２と（実質的に）同一とはいえない。
（ハ）本件訂正発明１１について
　先願３−１，３−２は上記事項ＤないしＦを具備していない。また、周知例３−３−１ないし３−３−４にも開示がなく周知といえない。
　よって、本件訂正発明１１が先願３−１，３−２と（実質的に）同一とはいえない。
（ハ）本件訂正発明１２について
　先願３−１，３−２は上記事項ＧないしＩを具備していない。また、周知例３−３−１ないし３−３−４にも開示がなく周知といえない。
　よって、本件訂正発明１２が先願３−１，３−２と（実質的に）同一とはいえない。
　
＜４＞特許法第２９条第２項
（ア）本件訂正発明１
　本件訂正発明１ないし１０と上記刊行物１ないし１５に記載の発明とを対比すると、これら刊行物に記載の発明は、本件発明を特定する事項である、上記事項ＡないしＣを備えておらず、当該事項により本件発明１ないし１０は、本件明細書記載の顕著な効果を奏するのであり、本件訂正発明１ないし１０が上記刊行物１ないし１５に記載のものから容易に発明をすることができたものとはいえない。
　本件訂正発明１１と上記刊行物１ないし１５に記載の発明とを対比すると、これら刊行物に記載の発明は、本件発明を特定する事項である、上記事項ＤないしＦを備えておらず、当該事項により本件発明１１は、本件明細書記載の顕著な効果を奏するのであり、本件訂正発明１１が上記刊行物１ないし１５に記載のものから容易に発明をすることができたものとはいえない。
　本件訂正発明１２と上記刊行物１ないし１５に記載の発明とを対比すると、これら刊行物に記載の発明は、本件発明を特定する事項である、上記事項ＧないしＩを備えておらず、当該事項により本件発明１２は、本件明細書記載の顕著な効果を奏するのであり、本件訂正発明１２が上記刊行物１ないし１５に記載のものから容易に発明をすることができたものとはいえない。
　すなわち、刊行物１は、自動写真撮影装置について記載されており、
　本件訂正発明１と刊行物１に記載された発明とを対比すると、以下の点で相違し、他の点で一致している。
ａ．本件訂正発明は、撮影空間、編集空間、印刷物の排出空間の３つの空間のうち、撮影空間と、編集空間とを別空間とするものであるのに対し、刊行物１に記載されたものは、撮影編集空間と印刷物の排出空間とを別空間とした点
ｂ．本件訂正発明は、撮影空間から編集空間への移動を案内する案内画面を表示するのに対し、刊行物１に記載されたものは、撮影編集空間から、印刷物の排出空間への移動を案内するものである点、
ｃ．本件訂正発明は、被写体の撮影処理と、撮影の編集の受付処理とを並行して実行させるものであるのに対し、刊行物１に記載されたものは、被写体の撮影編集と、編集された画像の印刷排出処理とを並行して実行させるものである点、
ｄ．本件訂正発明は、上記事項ＡないしＣを具備するものであるのに対し、刊行物１に記載されたものは、そのようなものでない点
　そして、刊行物２ないし５には、撮影、編集、印刷物の排出の処理を、それぞれ別工程として行うように装置を構成し、各処理をそれぞれ別々の空間でおこなう点について記載されているものの、上記事項ＡないしＣについて記載されているわけではない。
　刊行物６、７は、照明写真装置とシールプリント写真作成装置との共通性について記載されており、刊行物８、９は、被写体の撮影画像を印刷中に、撮影操作部の操作が可能である点について記載されており、刊行物１０は、印刷の間にゲームで楽しめるようにする点について記載されており、刊行物１１は、予め用意されている画像の中から任意の画像を選択し、これと被撮影者の画像とを合成して作成した映像を印刷する点や音声案内をする点について記載されており、刊行物１２は、撮影台について記載されており、刊行物１３は、撮影台用操作パネルについて記載されており、刊行物１４は、撮影画像を縦長とするか、横長とするかを選択できる点について記載されており、刊行物１５は、静止画像の明るさを調整する点について記載されている。しかしながら、刊行物６ないし１５にも、上記事項ＡないしＣについて記載されていない。
　してみると、本件訂正発明１がこれら刊行物から当業者が容易に発明できたものとはいえない。
　また、本件訂正発明２ないし１０は、本件訂正発明１にさらに限定事項を付加したものであるから、同様の理由により、これら刊行物から当業者が容易に発明できたものとはいえない。
　本件訂正発明１１と刊行物１に記載の発明を対比すると、少なくとも上記事項ＤないしＦを具備する点について相違し、刊行物２ないし１５にも上記事項ＤないしＦについて記載されていないから、本件訂正発明１と同様の理由により、本件訂正発明１１は、これら刊行物から当業者が容易に発明できたものとはいえない。
　本件訂正発明１２と刊行物１に記載の発明を対比すると、少なくとも上記事項ＧないしＩを具備する点について相違し、刊行物２ないし１５にも上記事項ＧないしＩについて記載されていないから、本件訂正発明１と同様の理由により、本件訂正発明１２は、これら刊行物から当業者が容易に発明できたものとはいえない。
　
（５）むすび
　以上のとおりであるから、特許異議の申立ての理由及び証拠によっては、本件訂正発明１ないし１２の特許を取り消すことができない。
　また、他に本件訂正発明１ないし１２の特許を取り消すべき理由を発見しない。
　よって、結論のとおり決定する。
【異議決定日】
平成１７年１２月２１日（２００５．１２．２１）
【訂正の要旨】
審決（決定）の【理由】欄参照。
（５４）【発明の名称】
画像印刷装置および方法、並びにプログラム
（５７）【特許請求の範囲】
　【請求項１】ユーザに、撮影、および撮影した画像の編集を行わせ、編集済みの前記画像が印刷されたシールシートを
１つの
　前記画像印刷装置の前記筐体の第１の面、前記第１の面と対向する位置に設置されたパネル、並びに前記第１の面と前記パネルの間に配置されたカーテンにより、外から見えないように形成された１個の撮影空間において、被写体を撮影する、前記筐体の前記第１の面に配置された撮影手段と、
　前記撮影手段により撮影された前記被写体の画像を表示する、前記第１の面の前記撮影手段より下方に設けられた第１の表示手段と、
　前記撮影空間とは異なる空間として、前記筐体の前記第１の面の側面もしくは背面である第２の面の前方に、カーテンまたはパネルにより画像が外から見えないように形成された１個の編集空間において、編集対象の画像として前記被写体の画像を他のユーザから見えないように表示し、編集入力を受け付ける、前記筐体の前記第２の面に設けられた第２の表示手段と、
　
前記第２の表示手段により受け付けられた前記編集入力に基づいて、前記被写体の画像を編集し、前記ユーザにより、前記編集入力として書き込み消去の指示が入力された場合、前記編集対象画像を用いて、入力された前記書き込みの一部または全部を消去する編集手段と、
　前記撮影手段により撮影された前記画像の枚数が予め設定された所定の枚数に達した場合、または、撮影終了の操作がされた場合、前記編集空間への移動を案内する案内画面を第１の表示手段に表示させ、前記撮影手段により撮影された
複数の
前記ユーザが編集対象とする画像を選択できるように、複数の前記画像を前記第２の表示手段に表示させ、さらに、その中から前記ユーザが選択した画像を
　を備えることを特徴とする画像印刷装置。
　【請求項２】
前記
　前記印刷手段により前記被写体の画像が印刷された前記シールシートを排出する排出手段と
　をさらに備えることを特徴とする請求項１に記載の画像印刷装置。
　【請求項３】前記排出手段は、前記筐体の、前記第１の面および前記第２の面の何れとも異なる第３の面に配置される
　ことを特徴とする請求項２に記載の画像印刷装置。
　【請求項４】前記撮影空間において撮影が終了されたとき、前記編集空間において編集が行われているか否かを判定する判定手段と、
　前記判定手段により前記編集空間において編集が行われていると判定されたとき、前記編集空間において行われている編集が終了するまでの期間、前記撮影空間において撮影を終了させたユーザに対して、所定の処理を実行させる実行手段と
　をさらに備えることを特徴とする請求項１乃至３のいずれかに記載の画像印刷装置。
　【請求項５】前記所定の処理は、所定のゲームである
　ことを特徴とする請求項４に記載の画像印刷装置。
　【請求項６】前記撮影空間における撮影を案内する音声を出力する第１の出力手段と、
　前記編集空間における編集を案内する音声を出力する第２の出力手段と
　をさらに備えることを特徴とする請求項１乃至５のいずれかに記載の画像印刷装置。
　【請求項７】前記撮影空間に、前記ユーザがポーズを取って撮影するための撮影台をさらに備える
　ことを特徴とする請求項１乃至６のいずれかに記載の画像印刷装置。
　【請求項８】前記撮影台の近傍に、撮影の操作を行うための撮影台用操作パネルをさらに備える
　ことを特徴とする請求項７に記載の画像印刷装置。
　【請求項９】撮影する前記静止画像を縦長の画像とするか、横長の画像とするかの選択を受け付ける方向選択受付手段をさらに備える
　ことを特徴とする請求項１乃至８のいずれかに記載の画像印刷装置。
　【請求項１０】前記静止画像の明るさの調整を受け付ける調整受付手段をさらに備える
　ことを特徴とする請求項１乃至９のいずれかに記載の画像印刷装置。
　【請求項１１】画像印刷装置の
１つの
　前記撮影手段により撮影された前記被写体の画像を表示する、前記第１の面の前記撮影手段より下方に設けられた第１の表示手段と、
　前記撮影空間とは異なる空間として、前記筐体の前記第１の面の側面もしくは背面である第２の面の前方に、カーテンまたはパネルにより画像が外から見えないように形成された１個の編集空間において、編集対象の画像として前記被写体の画像を他のユーザから見えないように表示し、編集入力を受け付ける、前記筐体の前記第２の面に設けられた第２の表示手段と
　を備え、
　ユーザに、撮影、および撮影した画像の編集を行わせ、編集済みの前記画像が印刷されたシールシートを前記筐体の所定の面に形成されたシール取り出し口から排出し、前記ユーザに提供する画像印刷装置の画像印刷方法において、
　前記撮影手段により前記被写体を撮影する撮影ステップと、
　前記撮影ステップの処理により撮影された前記被写体の画像を前記第１の表示手段に表示する第１の表示ステップと、
　編集対象の画像として前記被写体の画像を前記第２の表示手段に表示し、編集入力を受け付ける第２の表示ステップと、
　
前記第２の表示ステップの処理により受け付けられた前記編集入力に基づいて、前記被写体の画像を編集し、前記ユーザにより、前記編集入力として書き込み消去の指示が入力された場合、前記編集対象画像を用いて、入力された前記書き込みの一部または全部を消去する編集ステップと、
　前記撮影ステップの処理により撮影された前記画像の枚数が予め設定された所定の枚数に達した場合、または、撮影終了の操作がされた場合、前記編集空間への移動を案内する案内画面を前記第１の表示手段に表示させ、前記撮影ステップの処理により撮影された
複数の
前記ユーザが編集対象とする画像を選択できるように、複数の前記画像を前記第２の表示手段に表示させ、さらに、その中から前記ユーザが選択した画像を
　を含むことを特徴とする画像印刷方法。
　【請求項１２】画像印刷装置の
１つの
　前記撮影手段により撮影された前記被写体の画像を表示する、前記第１の面の前記撮影手段より下方に設けられた第１の表示手段と、
　前記撮影空間とは異なる空間として、前記筐体の前記第１の面の側面もしくは背面である第２の面の前方に、カーテンまたはパネルにより画像が外から見えないように形成された１個の編集空間において、編集対象の画像として前記被写体の画像を他のユーザから見えないように表示し、編集入力を受け付ける、前記筐体の前記第２の面に設けられた第２の表示手段と
　を備え、
　ユーザに、撮影、および撮影した画像の編集を行わせ、編集済みの前記画像が印刷されたシールシートを前記筐体の所定の面に形成されたシール取り出し口から排出し、前記ユーザに提供する画像印刷装置を制御するコンピュータのプログラムであって、
　前記コンピュータに、前記撮影手段による前記被写体の撮影を制御する撮影制御ステップと、
　前記撮影制御ステップの処理により撮影が制御された前記被写体の画像の前記第１の表示手段への表示を制御する第１の表示制御ステップと、
　編集対象の画像として前記被写体の画像を前記第２の表示手段に表示し、編集入力を受け付けるように制御する第２の表示制御ステップと、
　
前記第２の表示制御ステップの処理により制御されて受け付けられた前記編集入力に基づいて、前記被写体の画像を編集し、前記ユーザにより、前記編入力として書き込み消去の指示が入力された場合、前記編集対象画像を用いて、入力された前記書き込みの一部または全部を消去する編集ステップと、
　前記撮影制御ステップの処理により撮影が制御された前記画像の枚数が予め設定された所定の枚数に達した場合、または、撮影終了の操作がされた場合、前記編集空間への移動を案内する案内画面を前記第１の表示手段に表示させ、前記撮影制御ステップの処理により撮影が制御された
複数の
前記ユーザが編集対象とする画像を選択できるように、複数の前記画像を前記第２の表示手段に表示させ、さらに、その中から前記ユーザが選択した画像を
　を実行させるプログラム。
【発明の詳細な説明】
　【０００１】
　【発明の属する技術分野】
　本発明は、画像印刷装置および方法、並びにプログラムに関し、特に、ユーザの回転率を向上させ、順番待ちの時間を短縮するとともに、撮影した画像を編集する時間を、ユーザが満足するほど十分に確保するようにした画像印刷装置および方法、並びにプログラムに関する。
　【０００２】
　【従来の技術】
　従来、ユーザの画像を撮影し、これを予め用意されたフレーム画像と合成してシール紙などに印刷して提供する画像印刷装置（例えば、プリントクラブ（商標））が知られている。
　【０００３】
　そして、この画像印刷装置には、ユーザは、撮影した画像上に付属のペンで任意の文字や図形などを書き込む（編集する）ことができるようになされているものも存在する。
　【０００４】
　【発明が解決しようとする課題】
　しかしながら、このような画像上に書き込むことができる画像印刷装置においては、撮影した画像を確認する画面と、編集対象の画像を表示し、書き込み作業を行う画面とが同一の画面で構成されている。そのため、順番待ちをしているユーザは、先に使用しているユーザが編集までの一連の処理を終了するまで待たなければならないという課題がある。
　【０００５】
　また、待ち時間を短くするため、画像印刷装置のプログラムには、ユーザが満足するほど十分に、書き込み作業をする時間が確保されていないという課題もある。
　【０００６】
　さらに、画像印刷装置を管理する、例えば、ゲームセンターの側としても、ユーザの回転率が高いほど収益率が向上し、好ましい。
　【０００７】
　本発明はこのような状況に鑑みてなされたものであり、撮影する空間と編集する空間とを異なる位置に設けることにより、ユーザの回転率を向上させ、順番待ちの時間を短縮するとともに、編集作業の時間を、ユーザが満足するほど十分に確保するようにしたものである。
　【０００８】
　【課題を解決するための手段】
　本発明の画像印刷装置は、画像印刷装置の
１つの
第２の表示手段により受け付けられた編集入力に基づいて、被写体の画像を編集し、ユーザにより、編集入力として書き込み消去の指示が入力された場合、編集対象画像を用いて、入力された書き込みの一部または全部を消去する編集手段と、
複数の
ユーザが編集対象とする画像を選択できるように、複数の画像を第２の表示手段に表示させ、さらに、その中からユーザが選択した画像を
　【０００９】
　撮影手段は、例えば、図１の撮影装置３１により構成され、第１の表示手段は、例えば、図１の撮影用モニタ１４により構成され、第２の表示手段は、例えば、図１の編集用モニタ１８により構成され、
編集手段は、例えば、図２０のステップ３４の処理を実行する図５の表示プロセッサ９２により構成され、
　【００１０】
　ユーザは、第１の表示手段により表示される画面を確認しながら撮影する。この撮影処理において、複数の画像が撮影された場合には、複数の画像の中から編集する画像が選択される。そして、撮影処理が終了したとき、ユーザには、撮影空間から編集空間へ移動することが案内される。編集空間に移動したユーザは、第２の表示手段により表示される画面を確認しながら、撮影した
画像の中から編集対象画像を選択し、その選択により編集対象画像として表示された
（書き込みをし、書き込みを消去するときは書き込み消去の指示を入力する）。
　【００１１】
　第１の表示手段、および第２の表示手段は、例えば、図１に示すように、筐体１１の正面と側面にそれぞれ設けられる。また、図２２に示すように、筐体１１の正面と背面にそれぞれ設けるようにすることもできる。
　【００１２】
　撮影空間と編集空間とを異なった位置に設けることにより、例えば、順番待ちをしているユーザがいる場合、そのユーザは、先に撮影している他のユーザが撮影処理を終了し、編集空間に移動したとき、それとともに撮影空間に入場し、撮影を開始することができる。
　【００１３】
　以上のように構成することにより、順番待ちの時間を短縮することができ、それとともに、編集する時間を、ユーザが満足するほど十分に確保することができる。また、画像印刷装置を管理する管理者の側からしても、ユーザの回転率が向上するため、収益率を向上させることができる。
　【００１４】
　
編集手段により
　【００１５】
　
印刷手段は、
　【００１６】
　排出手段は、例えば、図１および図２２に示すように、第２の表示手段と同一の面に設置される。また、異なった面に設けるようにしてもよいし、離れた位置に設けるようにしてもよい。
　【００１７】
　排出手段が第２の表示手段と異なった面に設置される場合、ユーザは、筐体１１の正面側で撮影し、それを側面側に設けられている第２の表示手段で編集する。そして、編集済みの画像が印刷されたシールシートは、例えば、筐体１１の背面側に設けられている排出手段から排出され、ユーザは、シールシートを受け取ることができる。こうすることにより、第２の表示手段と、排出手段とが同一の面に設置されている場合に較べて、ユーザの回転率をより向上させることができる。
　【００１８】
　前記排出手段には、前記筐体の、前記第１の面および前記第２の面の何れとも異なる第３の面に配置されるようにすることができる。
　【００１９】
　この場合、例えば、図１の画像印刷装置において、排出手段が筐体１１の背面側に設置される。
　【００２４】
　第２の表示手段の数は、第１の表示手段の数より多く配置されるようにすることができる。
　【００２５】
　例えば、図２４において、撮影装置１７１には第１の表示手段が設けられ、編集用端末１７２−１乃至１７２−３のそれぞれに第２の表示手段が設けられる。撮影装置１７１を利用して撮影が終了したユーザには、編集用端末１７２−１乃至１７２−３のうちの使用されていない編集用端末への移動が促される。
　【００２６】
　一般的に、撮影した画像を編集する時間の方が、撮影する時間よりも長いため、編集装置を撮影装置より多く設けることにより、ユーザの回転率がより向上する。
　【００２７】
　また、例えば、図１の画像印刷装置１において、筐体１１の左側面にも、第２の表示手段を設けることにより、第２の表示手段を複数配置するようにしてもよい。
　【００３０】
　撮影空間において撮影が終了されたとき、編集空間において編集が行われているか否かを判定する判定手段と、判定手段により編集空間において編集が行われていると判定されたとき、編集空間において行われている編集が終了するまでの期間、撮影空間において撮影を終了させたユーザに対して、所定の処理を実行させる実行手段とをさらに備えるようにすることができる。
　【００３１】
　判定手段は、例えば、図７のステップＳ１４の処理を実行する図５のＣＰＵ８１により構成され、実行手段は、例えば、図７のステップＳ２３の処理を実行する図５のＣＰＵ８１により構成される。
　【００３３】
　所定の処理は、所定のゲームであるようにすることができる。
　【００３４】
　判定手段により、編集空間において他のユーザが編集処理を行っていると判定された場合、例えば、図１７に示すような選択画面が表示される。ユーザは、編集空間にいる他のユーザが編集処理を終了させ、編集空間からいなくなるまでの期間、この選択画面から選択することにより、所定の処理を実行することができる。この所定の処理は、例えば、撮り直しや、ゲーム（もぐら叩き）などとされる。
　【００３５】
　これにより、先に編集空間で編集している他のユーザがいる場合、編集待ちをしているユーザは、退屈せずにその時間を過ごすことができる。
　【００３６】
　撮影空間における撮影を案内する音声を出力する第１の出力手段と、編集空間における編集を案内する音声を出力する第２の出力手段とをさらに備えるようにすることができる。
　【００３７】
　第１の出力手段は、例えば、図５の音声出力制御部９１（撮影案内用スピーカ１３）により構成され、第２の出力手段は、例えば、図５の音声出力制御部９４（編集案内用スピーカ１９）により構成される。
　【００３８】
　第１の出力手段と第２の出力手段は、同一の音を発生することもできるが、基本的に、第１の出力手段は、撮影方法を案内するガイダンスや撮影の効果音を出力し、第２の出力手段は、編集方法を案内するガイダンスや編集の効果音を出力する。前記撮影空間に、前記ユーザがポーズを取って撮影するための撮影台をさらに設けるようにすることができる。撮影台は、例えば、図３の撮影台７１により構成される。前記撮影台の近傍に、撮影の操作を行うための撮影台用操作パネルをさらに設けるようにすることができる。撮影台用操作パネルは、例えば、図３の撮影台用操作パネル７２により構成される。撮影する前記静止画像を縦長の画像とするか、横長の画像とするかの選択を受け付ける方向選択受付手段をさらに設けるようにすることができる。方向選択受付手段は、例えば、図６のステップＳ３およびステップＳ４の処理を実行するＣＰＵ８１により構成される。前記静止画像の明るさの調整を受け付ける調整受付手段をさらに設けるようにすることができる。調整受付手段は、例えば、図６のステップＳ１１の処理を実行するＣＰＵ８１により構成される。
　【００３９】
　本発明の画像印刷方法は、画像印刷装置の
１つの
第２の表示ステップの処理により受け付けられた編集入力に基づいて、被写体の画像を編集し、ユーザにより、編集入力として書き込み消去の指示が入力された場合、編集対象画像を用いて、入力された書き込みの一部または全部を消去する編集ステップと、
複数の
ユーザが編集対象とする画像を選択できるように、複数の画像を第２の表示手段に表示させ、さらに、その中からユーザが選択した画像を
　【００４０】
　撮影ステップは、例えば、図６のステップＳ６により構成され、第１の表示ステップは、例えば、図６のステップＳ７により構成され、第２の表示ステップは、例えば、図２０のステップＳ３３により構成され
、編集ステップは、例えば、図２０のステップＳ３４により構成され
　【００４３】
　本発明のプログラムは、画像印刷装置の
１つの
第２の表示制御ステップの処理により制御されて受け付けられた編集入力に基づいて、被写体の画像を編集し、ユーザにより、編集入力として書き込み消去の指示が入力された場合、編集対象画像を用いて、入力された書き込みの一部または全部を消去する編集ステップと、
複数の
ユーザが編集対象とする画像を選択できるように、複数の画像を第２の表示手段に表示させ、さらに、その中からユーザが選択した画像を
　【００４４】
　本発明のプログラムは、所定の記録媒体に記録されて、例えば、図５のドライブ８５により読み出され、画像印刷装置にインストールされる。記録媒体は、フロッピディスクなどよりなる磁気ディスク、ＣＤ−ＲＯＭ（Ｃｏｍｐａｃｔ　Ｄｉｓｋ　Ｒｅａｄ　Ｏｎｌｙ　Ｍｅｍｏｒｙ）、ＤＶＤ−ＲＯＭ（Ｄｉｇｉｔａｌ　Ｖｅｒｓａｔｉｌｅ　Ｄｉｓｋ）などよりなる光ディスク、ＭＤ（Ｍｉｎｉ　Ｄｉｓｋ）などよりなる光磁気ディスク、または半導体メモリなどより構成される。
　【００４５】
　撮影制御ステップは、例えば、図６のステップＳ６により構成され、第１の表示制御ステップは、例えば、図６のステップＳ７により構成され、第２の表示制御ステップは、例えば、図２０のステップＳ３３により構成され
、編集ステップは、例えば、図２０のステップＳ３４により構成され
　【００５１】
　【発明の実施の形態】
　図１は、本発明を適用した画像印刷装置１の構成例を示す斜視図である。
　【００５２】
　画像印刷装置１の筐体１１の面１１−１には、左上方に硬貨投入口１２が設けられており、ユーザは、画像印刷装置１を利用するとき、所定の金額を投入する。また、面１１−１の右上方には、撮影案内用スピーカ１３が設けられている。撮影案内用スピーカ１３は、各種の音声ガイダンスなどを出力し、ユーザに対して、撮影方法（シール作成の進行方法）を案内する。
　【００５３】
　面１１−１の中央上方にある、所定の角度だけ上方を向いた面１１−２には、ＣＲＴ（Ｃａｔｈｏｄｅ　Ｒａｙ　Ｔｕｂｅ）やＬＣＤ（Ｌｉｑｕｉｄ　Ｃｒｙｓｔａｌ　Ｄｉｓｐｌａｙ）などよりなる撮影用モニタ１４が設置されている。撮影用モニタ１４は、撮影方法を案内する画面や、後述するように撮影装置３１により撮影された被写体の画像を表示する。
　【００５４】
　面１１−２の右側には、所定の角度だけ斜め上方を向いた面１１−３Ｒがあり、その面には、操作パネル１５が設置されている。操作パネル１５は、ユーザにより操作される各種の操作ボタンよりなり、例えば、ＣＣＤ（Ｃｈａｒｇｅ　Ｃｏｕｐｌｅｄ　Ｄｅｖｉｃｅ）カメラ３２のズームを調整するときなどに操作される。操作パネル１５には、例えば、撮影用モニタ１４に表示される各種の選択に対して、決定するとき操作される「○ボタン」、決定したものをキャンセルするとき操作される「×ボタン」、撮影用モニタ１４に表示されるカーソルなどを移動するとき操作される「＋ボタン」、「−ボタン」などが配置され、そのほか、撮影の開始を指示するとき操作される「撮影スタートボタン」などが適宜配置される。
　【００５５】
　また、面１１−２の左右には、床に対してほぼ垂直な面１１−４Ｒ，１１−４Ｌが設けられており、それぞれの面には、照明装置１６−１Ｒ，１６−１Ｌが配置される。照明装置１６−１Ｒ，１６−１Ｌは、内部に発光体（フラッシュ）を有しており、ユーザから撮影の開始が指示され、ＣＣＤカメラ３２が取り込む画像を静止画像として記憶するとき（キャプチャするとき）、そのタイミングに合わせて、被写体を照射する。
　【００５６】
　また、筐体１１の上面の面１１−５Ｒ，１１−５Ｌにも、面１１−４Ｒ，１１−４Ｌと同様に照明装置１６−２Ｒ，１６−２Ｌがそれぞれ配置されている。照明装置１６−２Ｒ，１６−２Ｌは、内部に発光体を有しており、照明装置１６−１Ｒ，１６−１Ｌが被写体を照射するタイミングで、発光体を発光させる。照明装置１６−２Ｒ，１６−２Ｌから照射された光（フラッシュ）は、フラッシュ反射板１７で反射され、被写体を照射する。すなわち、フラッシュ反射板１７は、筐体１１の正面にいるユーザを照射する方向に傾斜して取り付けられる。
　【００５７】
　筐体１１の上方には、撮影装置３１が設置されている。この撮影装置３１の所定の角度だけ斜め下方向を向いた面には、ＣＣＤカメラ３２、および小型のＬＣＤなどよりなる取り込み画像表示部３３が配置されている。ＣＣＤカメラ３２は、被写体の画像を取り込み、その画像（動画像）は、取り込み画像表示部３３に表示される。取り込み画像表示部３３がＣＣＤカメラ３２の近傍に設けられているため、ユーザは、取り込み画像表示部３３に表示されている自分の画像を確認しながら、視線をほぼＣＣＤカメラ３２に向けた状態で撮影することができる。
　【００５８】
　筐体１１の左側面である面１１−６には、ＣＲＴやＬＣＤなどよりなる編集入力用モニタ１８、編集案内用スピーカ１９、タッチペン２０、およびシール取り出し口２１が設けられている。
　【００５９】
　ＣＣＤカメラ３２で撮影され、編集する画像として選択され、保存された画像は、ユーザが撮影処理を終了した後、編集入力用モニタ１８に表示される。編集入力用モニタ１８には、タッチパネル９３（図５参照）が積層されており、ユーザは、編集入力用モニタ１８に表示されている画像に対して、タッチペン２０を操作することにより、編集対象の画像（以下、適宜、編集対象画像と称する）に任意の文字や図形などを書き込む（入力する）ことができる。
　【００６０】
　すなわち、ユーザは、筐体１１の正面（面１１−１）前方の場所（以下、適宜撮影空間と称する）で自分自身を撮影したのち、面１１−６の前方の場所（以下、適宜編集空間と称する）へ移動して、撮影した自分自身の画像を編集する。
　【００６１】
　編集入力用モニタ１８は、編集対象画像とともに、様々な編集ツールの選択ボタンなどを表示する。そして、編集入力用モニタ１８は、タッチペン２０で書き込みがされたとき、その入力に応じて生成した編集済みの画像を表示する。
　【００６２】
　編集案内用スピーカ１９は、ユーザに対して、編集の入力方法を説明する音声ガイダンスを出力する。
　【００６３】
　タッチペン２０は、編集入力用モニタ１８に積層されるタッチパネル９３の位置検出方式（例えば、抵抗膜式、超音波式など）に応じて構成され、編集に使用されないとき、図に示すように面１１−６に設置されている突起部に引っかけられる。
　【００６４】
　シール取り出し口２１は、所定の数、および大きさの複数のシールからなる、編集済みの画像が印刷されたシールシートを排出する。
　【００６５】
　図２は、図１の画像印刷装置１の配置例を示す図である。
　【００６６】
　筐体１１の正面（面１１−１）と対向する位置には、所定距離だけ離間して背景パネル５１が設置され、ユーザは、筐体１１と背景パネル５１の間の空間を撮影空間として、自分自身の画像を撮影する。なお、筐体１１の上面にはカーテンフレーム４１が水平方向に設置されており、カーテンフレーム４１には、撮影空間の内部が外部から見えないように、カーテン４２が取り付けられている。
　【００６７】
　また、筐体１１の面１１−６には、カーテンフレーム６１−１，６１−２が、その垂直方向に設置されており、その先端には面１１−６と対向してカーテン６２が取り付けられている。すなわち、編集を入力しているユーザ、および編集入力用モニタ１８に表示されている画像が外から見えないようになされている。
　【００６８】
　図３は、撮影空間における各装置の配置例を示す図である。なお、図３においては、説明の便宜上、図２に示したカーテンフレーム４１、カーテン４２、背景パネル５１、カーテンフレーム６１−１，６１−２、およびカーテン６２は省略されている。
　【００６９】
　撮影空間には、２段の階段と、その上部にある斜面により構成される撮影台７１が配置されており、ユーザは、この撮影台７１を利用して、様々なポーズを取って撮影を楽しむことができる。また、撮影台７１の近傍には、筐体１１に設置されている操作パネル１５と同様の操作ボタンが配置される撮影台用操作パネル７２が設置されている。すなわち、ユーザは、筐体１１（操作パネル１５）に近づかなくても、撮影台用操作パネル７２の操作ボタンを操作して撮影することができる。
　【００７０】
　撮影台用操作パネル７２から入力された各種の情報は、床下にあるケーブル７３を介して画像印刷装置１に供給される。
　【００７１】
　図４は、図２を上方から見た場合の配置例を示す図であり、この図を参照してユーザの移動について説明する。なお、斜線部１４は撮影用モニタ１４がその面に設置されることを、斜線部１８は編集入力用モニタ１８がその面に設置されることをそれぞれ示している。
　【００７２】
　図４においては、白抜き矢印がユーザの進行方向を示しており、撮影をするとき、ユーザは、筐体１１と背景パネル５１の間の撮影空間に入場し、撮影台７１を利用して様々なポーズを取って撮影する。
　【００７３】
　撮影空間での撮影が終了したとき、撮影用モニタ１４には、編集空間への案内画面が表示されるため、ユーザはこの案内に従って、白抜き矢印で示すように、撮影空間から出場して編集空間へ入場する。そして、編集対象画像に対して編集した後、ユーザは、シール取り出し口２１から排出されるシールシートを受け取る。
　【００７４】
　このように、撮影空間と編集空間とを異なる位置に設けることにより、次に順番待ちをしているユーザがいる場合、そのユーザは、それまで撮影空間で撮影をしていたユーザと入れ替わりに撮影空間に入場し、撮影を開始することができる。そのため、撮影の待ち時間を短縮することができ、それとともに、編集する時間を長く設定することができる。その結果、画像印刷装置１を管理する管理者の側からすれば、ユーザの回転率が向上することとなり、収益率が向上する。
　【００７５】
　図５は、図１の画像印刷装置１の内部の構成例を示すブロック図である。図１乃至図４において説明した部分についてはその説明は省略する。
　【００７６】
　ＣＰＵ（Ｃｅｎｔｒａｌ　Ｐｒｏｃｅｓｓｉｎｇ　Ｕｎｉｔ）８１は、ＲＯＭ（Ｒｅａｄ　Ｏｎｌｙ　Ｍｅｍｏｒｙ）８２に記憶されているプログラム、または、プログラム記憶部８４からＲＡＭ（Ｒａｎｄｏｍ　Ａｃｃｅｓｓ　Ｍｅｍｏｒｙ）８３にロードしたプログラムに従って画像印刷装置１の全体の動作をバス９０を介して制御する。ＲＡＭ８３にはまた、ＣＰＵ８１が各種の処理を実行する上において必要なデータなどが適宜記憶される。
　【００７７】
　プログラム記憶部８４は、ハードディスクやそのドライブからなり、ＣＰＵ８１が実行する様々なプログラムなどを記憶する。ドライブ８５は、フロッピディスクやハードディスクなどの磁気ディスクや、ＣＤ−ＲＯＭ，ＤＶＤなどの光ディスクなどの記録媒体に記憶されているプログラムを読み出し、バス９０を介してプログラム記憶部８４などに供給する。例えば、ドライブ８５からは、被写体の画像と合成する新たなフレーム画像などが供給される。
　【００７８】
　撮影装置３１の内部には、上述したＣＣＤカメラ３２および取り込み画像表示部３３の他に、ＣＣＤカメラ制御部８６が配置されている。ＣＣＤカメラ制御部８６は、ユーザが操作パネル１５、または撮影台用操作パネル７２を操作することにより入力したＣＣＤカメラ３２の調節要求に応じて、ＣＣＤカメラ３２のズーム率、取り込む光量などを制御する。
　【００７９】
　キープ画像記憶部８７は、ユーザが撮影し、編集する画像として選択した画像を所定の枚数だけ記憶する。例えば、キープ画像記憶部８７は、キープ画像（編集対象画像）を６枚まで記憶する。
　【００８０】
　硬貨処理部８８は、硬貨投入口２１から投入された硬貨をカウントし、画像の作成代金として予め設定されている所定の金額が投入されたと判定したとき、それをＣＰＵ８１に通知する。
　【００８１】
　プリンタ８９は、所定の数、および大きさに分割されたシールのシールシートを複数種類ストックし、ユーザから選択されたシールシートに、編集済みの画像を印刷する。プリンタ８９により印刷されたシールシートは、シール取り出し口２１から排出され、ユーザに提供される。
　【００８２】
　音声出力制御部９１は、ＣＰＵ８１からの制御に基づいて撮影案内用スピーカ１３を制御し、撮影方法などを説明する各種の音声ガイダンスや、例えば、静止画像を取り込むときのシャッター音などの効果音を出力する。一方、音声出力制御部９４は、編集案内用スピーカ１９を制御し、編集方法などを説明する各種の音声ガイダンスや、画像に書き込むときに発生される効果音などを出力する。このように、撮影案内用スピーカ１３と編集案内用スピーカ１９には、必要に応じてそれぞれ異なる音が出力される。
　【００８３】
　表示プロセッサ９２は、撮影処理が終了し、ユーザが編集を開始するとき、キープ画像記憶部８７からバス９０を介して転送されてくるキープ画像を内蔵するメモリ９２Ａに記憶する。そして、表示プロセッサ９２は、タッチパネル９３において編集入力がされたとき、編集対象画像上における、その入力位置を検出し、編集対象画像に反映させて編集入力用モニタ１８に表示させる。なお、図５においては、編集入力用モニタ１８とタッチパネル９３は別の位置に示されているが、実際には積層して配置されている。
　【００８４】
　次に、図６および図７のフローチャートを参照して、図１の画像印刷装置１の画像印刷処理について説明する。また、必要に応じて図８乃至図１９を参照して説明する。
　【００８５】
　ステップＳ１において、ＣＰＵ８１は、プログラム記憶部８４に記憶されている、撮影の進行方法などのデモンストレーション画面（以下、デモ画面と称する）を、撮影用モニタ１４に表示させるとともに、表示プロセッサ９２を制御し、編集入力用モニタ１８に表示させる。
　【００８６】
　図８は、撮影用モニタ１４に表示されるデモ画面の例を示す図であり、この表示例においては、「お金を入れてね」のメッセージが表示されている。また、図９は、編集入力用モニタ１８に表示されるデモ画面の例を示す図であり、撮影し、編集対象画像として選択された画像が編集入力用モニタ１８に表示されるため、「撮影から始めてね」のメッセージが表示される。
　【００８７】
　ステップＳ２において、ＣＰＵ８１は、硬貨処理部８８からの出力に基づいて、所定の代金（シールシートの作成代金）が投入されたか否かを判定し、投入されたと判定するまでデモ画面を表示して待機する。一方、ＣＰＵ８１は、代金が投入されたと判定した場合、ステップＳ３に進み、各種の機能や撮影方法を説明する説明画面を撮影用モニタ１４に表示する。なお、硬貨が投入されることに応じて、取り込み画像表示部３３には、ＣＣＤカメラ３２が撮影している動画像が表示される。
　【００８８】
　図１０は、撮影用モニタ１４に表示される説明画面の例を示す図であり、撮影する画像を縦長の画像とするか、横長の画像とするかを選択する画面とされている。なお、「＋／−ボタンで選んでね」のメッセージが表示されており、ユーザは、操作パネル１５、または撮影台用操作パネル７２の「＋ボタン」を操作した場合、縦長の画像を撮影することができ、「−ボタン」を操作した場合、横長の画像を撮影することができる。また、画面の右上には、残りの撮影可能枚数（キープ画像の枚数）が「６枚」として表示されている。
　【００８９】
　図１１は、撮影用モニタ１４に表示される説明画面の他の例を示す図であり、例えば、図１０において撮影する画像の方向が選択された後、表示される。この例においては、「ズームの調整を＋／−ボタンでしてね。用意ができたらスタートボタンを押してね」のメッセージが表示されており、ユーザは、操作パネル１５、または撮影台用操作パネル７２の「＋ボタン」、および「−ボタン」を操作することにより、ＣＣＤカメラ３２のズーム調整を行うことができる。
　【００９０】
　ステップＳ４において、ＣＰＵ８１は、図１０および図１１に示したような説明画面に応じて、ユーザからＣＣＤカメラ３２を調整することが入力されたとき、その入力に基づいてＣＣＤカメラ制御部８６を制御する。例えば、図１０に示すような説明画面において「＋ボタン」が選択されたとき、ＣＣＤカメラ制御部８６は、ＣＰＵ８１からの指示に基づいて、取り込む画像を縦長の画像とするようにＣＣＤカメラ３２を制御する。
　【００９１】
　ＣＰＵ８１は、ステップＳ５において、操作パネル１５、または撮影台用操作パネル７２からの出力に基づいて、撮影を開始するとき操作される撮影スタートボタンが操作されたか否かを判定し、まだ操作されていないと判定した場合、ステップＳ３に戻り、それ以降の処理を繰り返し実行する。一方、ＣＰＵ８１は、撮影スタートボタンが操作されたと判定した場合、ステップＳ６に進み、撮影用モニタ１４にカウントダウンインジケータを表示させ、撮影するタイミングとなったとき、ＣＣＤカメラ３２により撮影されている画像を記憶する。
　【００９２】
　図１２は、ステップＳ６において撮影用モニタ１４に表示される表示画面の例を示す図である。図に示すように、カウントダウンインジケータ１０１が表示され、例えば、左側の信号から順に点灯が開始され、１番右側の信号が点灯されたとき、ＣＣＤカメラ３２により撮影されている画像が記憶される。なお、この例においては、撮影するタイミングと同時に、「はい、ポーズ！」のメッセージが表示されている。
　【００９３】
　撮影するタイミングとなったとき、ＣＰＵ８１は、照明装置１６−１Ｌ，１６−１Ｒ、および照明装置１６−２Ｌ，１６−２Ｒを制御してフラッシュを被写体に照射するとともに、その瞬間にＣＣＤカメラ３２により取り込まれている画像を、静止画像として保存し、キープ画像記憶部８７に記憶させる。
　【００９４】
　ステップＳ７において、ＣＰＵ８１は、ステップＳ６で撮影した画像の確認画面を撮影用モニタ１４に表示させる。
　【００９５】
　図１３は、画像確認画面の例を示す図であり、撮影用モニタ１４のほぼ中央に、ステップＳ６で撮影した画像が表示され、その上に、「これでいいかな？○／×ボタンを押してね」のメッセージが表示されている。ユーザは、表示されている画像をキープ画像として保存するか否かを、操作パネル１５、または撮影台用操作パネル７２の「○ボタン」または「×ボタン」を操作することにより選択することができる。
　【００９６】
　そして、ＣＰＵ８１は、ステップＳ８で、操作パネル１５、または撮影台用操作パネル７２からの入力に基づいて、キープ画像として保存することが指示されたか否かを判定し、指示されていない（「×ボタン」が操作された）と判定した場合、ステップＳ９に進み、ステップＳ６で撮影し、キープ画像記憶部８７に記憶されている画像を消去する。そして、ステップＳ３に戻り、それ以降の処理が繰り返し実行される。
　【００９７】
　一方、ＣＰＵ８１は、ステップＳ８において、キープ画像として保存することが選択された（「○ボタン」が操作された）と判定した場合、ステップＳ１０に進み、その画像をキープ画像に追加する。
　【００９８】
　そして、ステップＳ１１において、ＣＰＵ８１は、キープ画像として追加した画像の明るさを調整する明るさ調整画面を撮影用モニタ１４に表示させる。
　【００９９】
　図１４は、ステップＳ１１で撮影用モニタ１４に表示される明るさ調整画面の例を示す図である。この例においては、キープ画像として保存された画像が画面のほぼ中央に表示され、その下に、明るさのレベルを指定するボタンが表示されている。また、画面の上部には、「明るさを＋／−ボタンで調整してね。よければ○ボタンを押してね。」のメッセージが表示されており、ユーザは、操作パネル１５、または撮影台用操作パネル７２の「＋ボタン」または「−ボタン」を操作し、カーソル１１１を移動させて明るさを調整する。なお、ステップＳ１０でキープ画像が選択されたため、図１４の右上方に示すように、残り撮影可能枚数が１だけ減算されて、例えば、「５枚」とされる。
　【０１００】
　ＣＰＵ８１は、操作パネル１５からの入力に応じて、キープ画像の明るさを調整し、「○ボタン」が操作されたとき、そのレベルの明るさでキープ画像をキープ画像記憶部８７に保存し、ステップＳ１２に進む。
　【０１０１】
　ステップＳ１２において、ＣＰＵ８１は、キープ画像記憶部８７に記憶されているキープ画像の枚数を確認し、残り撮影可能枚数が「０枚」となったか、または操作パネル１５、撮影台用操作パネル７２からの出力に基づいて、「撮影終了ボタン」が操作されたか否かを判定し、残り撮影可能枚数が「０枚」でない、かつ、「撮影終了ボタン」が操作されていないと判定した場合、ステップＳ３に戻り、同様の撮影処理を繰り返し実行する。
　【０１０２】
　ＣＰＵ８１は、ステップＳ１２において、残り撮影可能枚数が「０枚」となった、または「撮影終了ボタン」が操作されたと判定した場合、ステップＳ１３に進み、シールシートの分割数の選択画面を撮影用モニタ１４に表示させる。このシールシートは、所定の数、および大きさに分割された複数のシールの組み合わせからなり、複数種類のパターンがプリンタ８９に予め用意されている。
　【０１０３】
　図１５は、ステップＳ１３で撮影用モニタ１４に表示される分割数選択画面の例を示す図である。この例においては、画面の上部に、「分割数を選択してね。＋／−ボタンで選んで○ボタンで決定してね。」のメッセージが表示されており、ユーザは、操作パネル１５の「＋ボタン」、または「−ボタン」を操作することによりカーソル１２１を移動させて、好みの分割数のシールシートを選択できる。なお、ユーザは、１枚のシールシートを様々な大きさのシールに分割する「混合分割」、１枚のシールシートをそれぞれが等しい大きさの３２個のシールに分割する「３２分割」、１枚のシールシートをそれぞれが等しい大きさの２５個のシールに分割する「２５分割」、１枚のシールシートをそれぞれが等しい大きさの９個のシールに分割する「９分割」のうちから、好みの分割数のシールシートを選択することができるようになされている。なお、さらに複数のパターンからシールシートを選択できる場合、図に示すように、画面の左右に矢印でそれが示される。
　【０１０４】
　そして、シールシートが選択されたとき、ＣＰＵ８１は、ステップＳ１４に進み、表示プロセッサ９２の動作状態を確認し、編集空間において編集処理を行っている他のユーザがいるか否か、または、プリンタ８９の動作状態を確認し、編集済みの画像をシールシートに印刷している途中であるか否かを判定する。ＣＰＵ８１は、編集処理を実行していない、かつ印刷処理を実行していないと判定した場合、ステップＳ１５に進み、編集処理の案内画面を撮影用モニタ１４に表示させる。
　【０１０５】
　図１６は、ステップＳ１５において表示される案内画面の例を示す図であり、この例においては、画像印刷装置１の外観とともに、矢印で編集空間への移動を促す画面と、「落書き（編集）は横でできるよ。外に出て落書きしてね。」のメッセージが表示されている。ユーザは、この画面を確認し、撮影空間を出て、編集空間に移動する。なお、順番待ちをしているユーザがいる場合、そのユーザは、先に撮影をしているユーザが撮影空間から出て編集空間に移動するのと入れ替わりに、撮影空間に入場し、撮影処理を開始することができる。
　【０１０６】
　そして、撮影用モニタ１４に表示される案内画面に応じて、編集空間に移動したユーザは、ステップＳ１６において、キープ画像の編集処理を実行する。
　【０１０７】
　一方、ステップＳ１４において、ＣＰＵ８１は、例えば、先に撮影を行った他のユーザが、編集空間において編集処理を実行していると認識した場合、ステップＳ１７に進み、キープ画像の撮り直しを行うか否か、またはゲームを行うか否かの選択画面を撮影用モニタ１４に表示させる。
　【０１０８】
　図１７は、ステップＳ１７において撮影用モニタ１４に表示される選択画面の例を示す図である。この例においては、「＋／−ボタンでどちらかを選んで○ボタンをおしてね。」のメッセージが表示されており、ユーザは、操作パネル１５、または撮影台用操作パネル７２の「＋ボタン」を操作することによりキープ画像の撮り直しを行うことができ、「−ボタン」を操作することによりゲーム（もぐら叩き）を行うことができるとされている。編集処理を行うまでの待ち時間に、キープ画像の撮り直しやゲームができるようにすることにより、待っているユーザは、先に編集処理を行っているユーザが編集処理、および印刷処理を終えるまで退屈せずに待つことができる。
　【０１０９】
　ステップＳ１８において、ＣＰＵ８１は、操作パネル１５からの入力に基づいて、キープ画像の撮り直しが選択されたか否か（上述した例の場合、「＋ボタン」が操作されたか否か）を判定し、キープ画像の撮り直しが選択されたと判定した場合、ステップＳ１９に進む。
　【０１１０】
　ＣＰＵ８１は、ステップＳ１９において、撮り直す画像の選択画面を撮影用モニタ１４に表示し、ユーザに選択させる。図１８は、撮り直す画像の選択画面の例を示す図であり、図に示すように、キープ画像記憶部８７に記憶されているキープ画像が表示される。図１８の例においては、「どれを撮りなおす？＋／−ボタンで選択して、○ボタンで決定してね。」のメッセージが表示されており、ユーザは、既に撮影したキープ画像の中から、１枚を消去して、撮り直すことができる。なお、ユーザが、キープ画像が撮影可能枚数の全てを満たす前に（上述した例の場合、「６枚」のキープ画像を撮影する前に）「撮影終了ボタン」を操作することにより撮影を終了させた場合、この消去する画像の選択画面は、表示されないようにしてもよい。
　【０１１１】
　そして、ＣＰＵ８１は、ステップＳ２０に進み、操作パネル１５、または撮影台用操作パネル７２からの出力に基づいて、撮り直す画像（消去する画像）が選択されたか否かを判定し、選択されていないと判定した場合、ステップＳ１９に戻り、選択されるまで待機する。一方、ＣＰＵ８１は、ステップＳ２０で、画像が選択されたと判定した場合、ステップＳ２１に進み、キープ画像記憶部８７を制御し、選択された画像を消去するとともに、図１２を参照して説明したようなカウントダウンインジケータ１０１を撮影用モニタ１４に表示させ、撮影するタイミングとなったとき、撮影する。その後、画像の確認画面（図１３）などが表示され、上述したものと同様の処理が実行される。
　【０１１２】
　ステップＳ２２において、ＣＰＵ８１は、ステップＳ１４の場合と同様に、編集処理または印刷処理を実行中であるか否かを判定し、例えば、先に撮影を行ったユーザが、まだ編集空間にいると判定した場合、ステップＳ１９に戻り、それ以降の処理を繰り返し実行する。
　【０１１３】
　一方、ステップＳ１８において、ＣＰＵ８１は、操作パネル１５、または撮影台用操作パネル７２からの入力に基づいて、キープ画像の撮り直しが選択されていない（ゲーム（もぐら叩き）が選択された）と判定した場合、ステップＳ２３に進み、撮影用モニタ１４にゲーム画面を表示させる。
　【０１１４】
　図１９は、撮影用モニタ１４に表示されるゲーム画面（もぐら叩き画面）の例を示す図である。この例においては、ユーザは、操作パネルの「○ボタン」、「×ボタン」、「＋ボタン」、「−ボタン」を操作することによりハンマー１４１を移動させ、もぐら叩きゲームができるようになされている。
　【０１１５】
　そして、所定の時間が経過した後（または、ゲームが終了した後）、ＣＰＵ８１は、ステップＳ２４に進み、編集処理または印刷処理を実行中であるか否かを判定し、例えば、先に撮影処理を行ったユーザが、まだ編集空間にいると判定した場合、ステップＳ２３に戻り、それ以降の処理を繰り返し実行する。
　【０１１６】
　なお、ＣＰＵ８１は、ステップＳ２２およびＳ２４において、先に撮影を行ったユーザが編集処理または印刷処理を実行中であると判定したとき、ステップＳ１７に戻り、それ以降の処理を繰り返し実行するようにしてもよい。これにより、例えば、ゲームに飽きたユーザは、キープ画像の撮り直しを行うことができ、編集処理までの時間を退屈せずに待つことができる。
　【０１１７】
　ステップＳ２２、またはステップＳ２４において、ＣＰＵ８１は、撮り直し処理、またはゲーム処理を行っている間に、編集を行っていたユーザが編集を終了させ、シールシートを受け取って編集空間からいなくなったと判定した場合、ステップＳ１５に進み、それ以降の処理を実行する。すなわち、撮影用モニタ１４に編集空間への移動を促す案内画面が表示され、これを確認したユーザは、編集空間に移動し、キープ画像の編集処理を実行する。
　【０１１８】
　ステップＳ１６において画像の編集処理が終了され、シールシートに編集済みの画像が印刷された後、処理はステップＳ１に戻り、それ以降の処理が繰り返し実行される。なお、撮影を終えたユーザが編集処理を行っている間に、他のユーザが撮影処理を開始した場合、ステップＳ１以降の処理がステップＳ１６の編集処理と並行して実行される。
　【０１１９】
　次に、図２０のフローチャートを参照して、図７のステップＳ１６において実行される画像編集処理について説明する。
　【０１２０】
　ステップＳ３１において、表示プロセッサ９２は、キープ画像データがバス９０を介してキープ画像記憶部８７から転送されてきたか否かを判定し、転送されてきたと判定するまで待機する。すなわち、撮影処理が終了され、編集処理が開始されるとき、ＣＰＵ８１は、キープ画像記憶部８７に記憶されているキープ画像を表示プロセッサ９２に転送させる。表示プロセッサ９２は、ステップＳ３１で、キープ画像データが転送されてきたと判定した場合、ステップＳ３２に進み、それを内蔵するメモリ９２Ａに記憶する。
　【０１２１】
　ステップＳ３３において、表示プロセッサ９２は、編集入力用モニタ１８に編集画面を表示する。
　【０１２２】
　図２１は、編集入力用モニタ１８に表示される編集画面の例を示す図である。編集画面は、基本的に、編集対象画像表示部１５１、編集対象画像選択部１５２、入力ツール選択部１５３、制限時間表示部１５４から構成される。編集対象画像選択部１５２には、撮影されたキープ画像がサムネイル表示され、ユーザは、タッチペン２０を操作することにより、編集対象の画像（書き込みをする画像）を選択することができる。ユーザにより編集対象画像として選択された画像は、編集対象画像表示部１５１に拡大表示される。入力ツール選択部１５３には、様々な入力ツール（書き込みツール）を選択するとき操作されるボタンが表示され、ユーザは、この中から、タッチペン２０を操作して入力ツールを選択する。
　【０１２３】
　入力ツールには、例えば、文字や図形を書き込むとき使用される「ペン」や、同一の文字や図形を入力するとき使用される「スタンプ」などがある。そして、「ペン入力モード」が選択されたとき、ペンの太さを選択するウインドウや、ペンの種類（例えば、クレヨンのように、線の一部をかすれたように表示する「クレヨンペン」）を選択するウインドウが表示される。また、「スタンプ入力モード」が選択されたときも同様に、スタンプを選択するウインドウが表示される。
　【０１２４】
　制限時間表示部１５４には、編集処理を行う時間として予め設定されている制限時間が表示される。この例においては、残り時間が「３０秒」として表示され、残り時間が「０秒」となったとき、強制的に編集処理が終了されるようになされている。
　【０１２５】
　上述したものの他に、編集画面の下方には、縦方向に表示されている編集対象画像を横方向に、またはその逆に、表示を切り替えるとき操作される画像方向切替ボタン１６１、入力した書き込みの１部分を消去するとき操作される消しゴムボタン１６２、入力した書き込みをやり直す（取り消す）とき操作されるやり直しボタン１６３、入力した書き込みを全て消去し、何も書き込まれていない画像に戻すとき操作される取り消しボタン１６４、および、編集処理を終了するとき操作される終了ボタン１６５が表示される。
　【０１２６】
　ステップＳ３４において、表示プロセッサ９２は、タッチパネル９３からの入力に基づいて、ユーザからタッチペン２０により入力された各種の指示を識別し、それに応じて編集対象画像を編集する。表示プロセッサ９２は、例えば、編集対象画像として選択された画像を、２つのフレームバッファに記憶させ、入力された編集を片方のフレームの画像に反映させる。そして、表示プロセッサ９２は、その編集が取り消されたとき（消しゴム処理が入力されたとき）、編集が反映されていないフレームの画像（もう片方の画像）の対応する部分のデータを、編集を反映させる画像のフレームに反映することにより、その編集を取り消す。
　【０１２７】
　ステップＳ３５において、表示プロセッサ９２は、タッチパネル９３からの入力に基づいて編集した画像を編集入力用モニタ１８に表示させる。すなわち、編集入力用モニタ１８には、上述した２つのフレームバッファのうちの、編集を反映した方のフレームバッファに記憶されている画像が表示され、ユーザが書き込みをしたとき、その書き込みがリアルタイムで反映されて表示される。
　【０１２８】
　ステップＳ３６において、表示プロセッサ９２は、制限時間が経過したか否か、または撮影終了ボタン１６５が操作されたか否かを判定し、制限時間が経過していない、かつ、撮影終了ボタン１６５が操作されていないと判定した場合、ステップＳ３４に戻り、それ以降の処理を繰り返し実行する。
　【０１２９】
　一方、表示プロセッサ９２は、制限時間が経過した、またはタッチパネル９３からの入力に基づいて、撮影終了ボタン１６５が操作されたと判定した場合、ステップＳ３７に進み、編集済みの画像データをバス９０を介してプリンタ８９に転送し、図７のステップＳ１３で選択された分割数のシールシートの各シールに、編集済みの画像を印刷する。
　【０１３０】
　例えば、図７のステップＳ１３において、「２８分割」（図示せず）のシールシートが選択され、かつ６種類の画像の全てを印刷することが指示された場合、表示プロセッサ９２は、１つの編集済みの画像を、４個づつのシールに印刷する。このように、シールシート上のそれぞれのシールに印刷される画像を、ユーザが個々に選択できるようにしてもよい。プリンタ８６は、編集済みの画像を印刷したシールシートを、シール取り出し口２１に排出する。そして、図７のステップＳ１６以降の処理が繰り返し実行される。ユーザは、シール取り出し口２１に排出されたシールシートを受け取り、編集空間から出場する。
　【０１３１】
　このように、撮影空間と編集空間とを同一の場所に設けずに、別々の場所に設けることにより、先に使用をしている他のユーザがいる場合、その待ち時間を短縮することができる。それとともに、編集処理の時間を長く確保することができる。また、画像印刷装置１の管理者の側としても、ユーザの回転率が向上するため、収益率を向上させることができる。
　【０１３２】
　図２２は、本発明を適用した画像印刷装置１の他の構成例を示す斜視図である。図１に対応する部分については、同一の符号を付してある。
　【０１３３】
　図１の例においては、撮影用モニタ１４が筐体１１の面１１−２（正面側）に、編集用モニタ１８が面１１−６（側面側）にそれぞれ設置されるとしたが、この例においては、編集用モニタ１８が面１１−７（背面側）に設置されている。また、それに伴って、面１１−７には、編集案内用スピーカ１９、タッチペン２０、およびシール取り出し口２１がそれぞれ設置される。
　【０１３４】
　図２３は、図２２に示した画像印刷装置１の配置を上方から見た図であり、この図を参照して、ユーザの移動について説明する。斜線部１４は撮影用モニタ１４がその面に配置されることを、斜線部１８は編集入力用モニタ１８がその面に配置されることをそれぞれ示している。
　【０１３５】
　図２３においては、白抜き矢印がユーザの進行方向を示しており、撮影をするとき、ユーザは、筐体１１の正面側に設けられる撮影空間に入場し、撮影台７１を利用して様々なポーズを取って撮影する。
　【０１３６】
　撮影空間での撮影が終了したとき、撮影用モニタ１４には、筐体１１の背面側にある編集空間への案内画面が表示されるため、ユーザはこの案内に従って、白抜き矢印で示すように、撮影空間から出場して編集空間へ入場する。そして、編集対象画像を編集した後、ユーザは、シール取り出し口２１から排出されるシールシートを受け取り、編集空間から出場する。なお、図２３に示すように、背面パネル５１は、編集空間をも囲むように設置され、撮影空間と編集空間の境界部には、カーテン４２Ａが設けられる。また、編集空間の出口部分には、カーテン４２Ｂが設けられ、外部から編集空間の内部が見えないようにされる。
　【０１３７】
　このように、本発明を適用した画像印刷装置は、撮影空間と編集空間とを別の位置に設けることにより、様々な構成とすることができる。
　【０１３８】
　図２４は、本発明を適用した画像印刷装置の他の例を示す図である。
　【０１３９】
　この図においては、撮影用の端末である１つの撮影装置１７１に対して、複数の編集用端末１７２−１乃至１７２−３が設けられている。すなわち、図に示すように、撮影装置１７１の周辺（正面側）が撮影空間と、編集用端末１７２−１乃至１７２−３のそれぞれの周辺（正面側）が編集空間とされる。
　【０１４０】
　撮影装置１７１と編集用端末１７２−１乃至１７２−３は、ケーブル１７３−１乃至１７３−３でそれぞれ接続されており、撮影装置１７１において撮影された画像データ（上述したキープ画像データ）は、撮影処理が終了されたとき、ケーブル１７３−１乃至１７３−３を介して編集用端末１７２−１乃至１７２−３に適宜転送される。当然、無線で転送されるようにしてもよい。
　【０１４１】
　撮影空間において自らの画像を撮影したユーザは、撮影装置１７１に設置される撮影用モニタ１４に、編集用端末１７２−１乃至１７２−３のいずれかの編集用端末に移動することを促す画面が表示されるため、それに従って移動する。すなわち、編集用端末１７２−１乃至１７３のそれぞれには、識別情報が設定されており、移動を促す画面には、その編集用端末１７２−１乃至１７３の識別情報も表示される。
　【０１４２】
　例えば、編集用端末１７２−１乃至１７２−３のそれぞれに、識別情報として１乃至３の番号が用意されており、編集用端末１７２−１を使用して編集していたユーザがその処理を終えたとき、撮影空間で撮影を終えたユーザに対しては、「１番の編集用端末で編集ができるよ」などのメッセージが表示される。一般的に、撮影処理にかかる時間に対して編集処理にかかる時間の方が長いため、このように、１台の撮影装置１７１に対して編集用端末を複数設けることにより、待ち時間をより短縮させることができ、それとともに、編集処理の時間を長く設定することができる。
　【０１４３】
　また、複数台の撮影装置１７１が設置され、撮影を終了したユーザは、適宜、開いている（使用されていない）編集用端末１７２−１乃至１７２−３に移動するようにしてもよい。
　【０１４４】
　以上においては、編集用空間の編集入力用モニタ１８の下方にシール取り出し口２１が設けられるとしたが、シールシートの排出口が設けられる空間をさらに別の位置に設けるようにしてもよい。例えば、図１の画像印刷装置１において、シール取り出し口２１が背面側（面１１−７側）に設置され、編集処理が終了したとき、ユーザに対して、背面側への移動を促す画面が編集入力用モニタ１８に表示される。これにより、編集済みの画像をシールシートにプリントする時間の分だけ、他のユーザの待ち時間を短縮することが可能となり、回転率が向上する。
　【０１４５】
　図２５（Ａ），（Ｂ）は、上述した画像印刷装置により作成される印刷媒体（シールシート）の例を示す図である。
　【０１４６】
　図２５（Ａ）は、例えば、ユーザにより６分割のシールシートが選択された場合とされており、シールシート上のそれぞれのシールに、異なった画像がそれぞれ印刷されている。すなわち、上述したように、ユーザは、印刷する画像を複数種類、キープ画像として撮影することができ、この例においては、６種類の画像を撮影した場合とされている。
　【０１４７】
　図２５（Ｂ）は、例えば、ユーザにより、図１５の選択画面から、「混合分割」が選択された場合とされており、シールシート上の、２枚の大きいサイズのシールと、３枚の小さいサイズのシールとをそれぞれ１組として、それぞれの組のシールに、異なった画像が印刷されている。すなわち、この場合も、ユーザは、６種類の画像を撮影した場合とされている。
　【０１４８】
　このように、ユーザは、撮影した複数種類の画像をシールシートに印刷することができる。
　【０１４９】
　また、印刷媒体は、シールシートに限られるものではなく、例えば、所定のサイズの紙や、ポスター用の紙などに印刷するようにしてもよい。また、撮影した画像データを、ユーザが自ら用意したフロッピディスクなどの記録媒体に記録させることができるようにしてもよい。
　【０１５０】
　【発明の効果】
　以上のように、本発明によれば、順番待ちの時間を短縮するとともに、編集作業の時間を、ユーザが満足するほど十分に確保することができる。また、本発明を適用した装置の管理者の側としても、利用者の回転率が向上するため、収益率を向上させることができる。
【図面の簡単な説明】
　【図１】
　本発明を適用した画像印刷装置の斜視図を示す図である。
　【図２】
　図１の画像印刷装置の配置の例を示す図である。
　【図３】
　撮影空間における各装置の配置例を示す図である。
　【図４】
　ユーザの移動を示す図である。
　【図５】
　図１の画像印刷装置の内部の構成例を示すブロック図である。
　【図６】
　図１の画像印刷装置の処理を説明するフローチャートである。
　【図７】
　図１の画像印刷装置の処理を説明する、図６に続くフローチャートである。
　【図８】
　図１の撮影用モニタの表示例を示す図である。
　【図９】
　図１の編集入力用モニタの表示例を示す図である。
　【図１０】
　図１の撮影用モニタの他の表示例を示す図である。
　【図１１】
　図１の撮影用モニタのさらに他の表示例を示す図である。
　【図１２】
　図１の撮影用モニタの表示例を示す図である。
　【図１３】
　図１の撮影用モニタの他の表示例を示す図である。
　【図１４】
　図１の撮影用モニタのさらに他の表示例を示す図である。
　【図１５】
　図１の撮影用モニタの表示例を示す図である。
　【図１６】
　図１の撮影用モニタの他の表示例を示す図である。
　【図１７】
　図１の撮影用モニタのさらに他の表示例を示す図である。
　【図１８】
　図１の撮影用モニタの表示例を示す図である。
　【図１９】
　図１の撮影用モニタの他の表示例を示す図である。
　【図２０】
　図１の画像印刷装置の他の処理を説明するフローチャートである。
　【図２１】
　図１の編集入力用モニタの表示例を示す図である。
　【図２２】
　本発明を適用した他の画像印刷装置の斜視図を示す図である。
　【図２３】
　ユーザの移動を示す図である。
　【図２４】
　本発明を適用した画像印刷装置の構成例を示す図である。
　【図２５】
　本発明を適用した画像印刷装置により作成される印刷媒体の例を示す図である。
　【符号の説明】
　１　画像印刷装置
　１３　撮影案内用スピーカ
　１４　撮影用モニタ
　１５　操作パネル
　１８　編集入力用モニタ
　１９　編集案内用スピーカ
　２０　タッチペン
　２１　シール取り出し口
　３１　撮影装置
　３２　ＣＣＤカメラ
　８１　ＣＰＬ
　８２　ＲＯＭ
　８３　ＲＡＭ
　８９　プリンタ
　９１　音声出力制御部
　９２　表示プロセッサ
　９４　音声出力制御部